(57)【要約】【課題】  発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断する携帯電話機を提供する。【解決手段】  制御部２は、発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせる完了応答メッセージを送信して、回線切断する携帯電話機である。【選択図】        図２
2006333509.tif 000002
【特許請求の範囲】
【請求項１】
発信者からの伝言メッセージを記憶する携帯電話機であって、
発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断することを特徴とする携帯電話機。
【発明の詳細な説明】
【技術分野】
【０００１】
本発明は、留守録機能を有する携帯電話機に係り、特に特別なモード設定等をしなくとも留守録機能が動作し、発信者により回線切断されていない場合は、発信者に伝言の録音完了を知らせて、回線切断する携帯電話機に関する。
【背景技術】
【０００２】
一般的に携帯電話機は、サービスエリア内で自己宛の着呼を受けると、鳴音、振動、表示等の設定された呼出モードに従って呼出を行い、利用者によってオフフックされると、着信して通話状態に入る。
【０００３】
しかし、着呼して呼出動作を行っても、呼出音が小さかったり、振動モードに設定したまま鞄の中に入れてしまったり、利用者が携帯電話機のそばから離れた場合等に、一般的な単機能の携帯電話機では、継続して呼出動作を続け、オフフックされず応答がないと、発信側の利用者の判断で呼出を断念して回線を切断するようになっていた。
【０００４】
上記のようなケースを回避するために、高機能の携帯電話機では、着呼後呼出動作に入り、一定時間応答がないと、着信状態になって予め用意されている自動応答メッセージ又はオリジナルな応答メッセージを発信者に対してアナウンスし、発信者の用件を音声で録音する留守録機能を設け、利用者によって留守録モードが設定されれば、留守録機能が行われるようになっていた。
【発明の開示】
【発明が解決しようとする課題】
【０００５】
しかしながら、上記従来の携帯電話機では、携帯のし忘れや呼出に気付かずに、重要な電話を受け損ねたり、留守録機能が付いた電話機であっても留守録モードに設定し忘れて重要な電話を受け損ねるケースがあったという問題点があった。
【０００６】
また、上記従来の携帯電話機において、留守録機能が動作し、回線切断されていない場合は、発信側の利用者の判断で呼出を断念して回線を切断するものとなっていた。
【０００７】
本発明は上記実情に鑑みて為されたもので、発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断する携帯電話機を提供することを目的とする。
【課題を解決するための手段】
【０００８】
上記従来例の問題点を解決するための本発明は、発信者からの伝言メッセージを記憶する携帯電話機であって、発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断することを特徴とする。
【発明の効果】
【０００９】
本発明によれば、発信者からの伝言メッセージを記憶する携帯電話機であって、発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断するものであり、発信者からの伝言メッセージを記憶して重要な電話の用件を録音でき、発信者からの回線切断がない場合は、発信者に伝言の録音完了を知らせてから回線切断できる効果がある。
【発明を実施するための最良の形態】
【００１０】
本発明の実施の形態について図面を参照しながら説明する。
本発明の実施の形態に係る携帯電話機は、着呼を受け呼出から一定時間経過の間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断するものであり、発信者からの伝言メッセージを記憶して重要な電話の用件を録音でき、発信者からの回線切断がない場合は、発信者に伝言の録音完了を知らせてから回線切断できるものである。
【００１１】
まず、本発明に係る携帯電話機の構成について図１を使って説明する。図１は、本発明に係る携帯電話機の構成ブロック図である。
【００１２】
本発明の携帯電話機は、無線部１と、制御部２と、記憶部３と、表示部４と、入力部５と、呼出部６と、レシーバ７とから構成されている。
【００１３】
次に、本発明の携帯電話機の各部について具体的に説明する。無線部１は、無線データの送受信を行うものである。呼出部6は、スピーカ、バイブレータ、ＬＥＤ等の着信時に呼出を行う為の各種手段である。レシーバ７は、利用者の音声を入力するマイクである。入力部５は、携帯電話機に関する各種入力を行う操作部である。
【００１４】
表示部４は、一般的に携帯電話機に設けられた液晶等の表示部であり、本発明では、留守録が為されたことを知らせる表示を行うものである。
【００１５】
記憶部３は、携帯電話機の制御に関わる各種情報を記憶するものであり、本発明の特徴部分として、自動応答メッセージ記憶部３ａと受信メッセージ記憶部３ｂとが設けられている。
【００１６】
ここで、自動応答メッセージ記憶部３ａは、本発明の留守録機能における自動応答の各種メッセージのディジタルデータを記憶するものであり、具体的には、自動応答であることを発信者に知らせる自動着信メッセージと、録音する伝言の発声を促す伝言要求メッセージと、伝言を記憶できない旨を知らせる伝言不可能メッセージと、伝言の録音完了を知らせる完了応答メッセージを記憶している。尚、自動着信メッセージは、利用者がレシーバ７から入力したオリジナルなメッセージを登録できるようにしても構わない。
【００１７】
また、受信メッセージ記憶部３ｂは、発信者から送信された伝言メッセージをディジタル変換したデータを記憶する記憶部である。本発明では、伝言メッセージを複数件記憶できるものとする。
【００１８】
制御部２は、携帯電話機全体を制御するもので、一般的な携帯電話機としての制御に加えて、本発明の特徴部分として、呼出から一定時間オフフックが為されないときに、発信者からの伝言メッセージを録音する留守録機能を実現する留守録手段２ａが設けられている。
【００１９】
ここでは、一般的な携帯電話機としての制御については説明を省略し、本発明の特徴部分についてのみ説明する。
【００２０】
本発明の留守録手段２ａは、タイマー２ｂを用いて呼出からの時間をカウントし、予め設定された一定時間（タイムアップ時間）に達したなら留守録機能が動作し、発信者に対して自動応答し、自動応答メッセージ記憶部３ａに記憶された各種メッセージのデジタルデータを音声データに変換して送信し、また、受信した発信者側からの伝言メッセージをデジタルデータに変換して受信メッセージ記憶部３ｂに格納するようになっている。
【００２１】
ここで、本発明の留守録手段２ａの具体的な流れについて、図２を使って説明する。図２は、本発明の制御部２の留守録手段２ａの流れを示すフローチャート図である。本発明の留守録手段２ａは、着呼を受けて通常の呼出動作を行った後に起動され、図２に示すように、まずタイマー２ｂをスタートし（１００）、タイムアップ時間に達したか判断し（１０２）、達しない場合（Ｎｏ）は処理１０２を繰り返す。
【００２２】
一方、タイムアップ時間に達した場合（Ｙｅｓ）は、留守録機能に入って、まず着信状態にして（１０３）、自動着信メッセージを送信し（１０４）、次に、受信メッセージ記憶部３ｂに空きがあるか判断し（１１０）、空きがない場合（Ｎｏ）は、伝言不可能メッセージを送信し（１１２）、処理１３０に飛ぶ。
【００２３】
一方、処理１１０において受信メッセージ記憶部３ｂに空きがある場合（Ｙｅｓ）は、伝言要求メッセージを送信し（１２０）、伝言メッセージを受信し（１２２）、完了信号を受信したか又は回線が切断されたか判断し（１２４）、完了信号を受信せず且つ回線が切断されていない場合（Ｎｏ）は、処理１２２を繰り返す。
【００２４】
そして、完了信号を受信したか又は回線が切断された場合（Ｙｅｓ）は、受信した伝言メッセージをデジタルデータに変換してから受信メッセージ記憶部３ｂに格納し（１２５）、留守録の伝言メッセージがあった旨の表示を表示部４に出力し（１２６）、既に回線が切断されているか判断し（１２７）、切断されている場合は（Ｙｅｓ）は処理１３０に飛び、切断されていない場合（Ｎｏ）は完了応答メッセージを送信し（１２８）、回線を切断して終話し（１３０）、処理を終了する。
【００２５】
尚、発信者側にメッセージを送信する処理（処理104,112,120,128 ）は、自動応答メッセージ記憶部３ａからメッセージのデジタルデータを読み込み、アナログの音声データに変換して送信する処理であり、また、発信者からの伝言メッセージは音声データをデジタルデータに変換して受信メッセージ記憶部３ｂに格納するようになっている。
【００２６】
また、図２に示した処理の途中で、携帯電話機の利用者がオフフック操作を行ったなら、処理を停止して通常の通話処理に移行し、また、処理１２２の前に発信者によって回線が切断されたなら、その時点で処理を停止するようになっている。
【００２７】
また、受信メッセージ記憶部３ｂの空き確認の処理（処理１１０）を、着信状態にする処理（処理１０３）の前に行い、空きがない場合は、処理１０３〜処理１２８の留守録機能の処理を行わないようにしても構わない。
【００２８】
次に、本発明の携帯電話機の動作について、図１を使って説明する。本発明の携帯電話機は、無線部１を介して着呼を受けると、制御部２が呼出部６を起動して呼出動作を行い、タイマー２ｂをスタートする。
【００２９】
そして、予め設定されたタイムアップ時間に達するまでに、入力部５でオフフックが為されないと、制御部２によって着信状態になり、自動応答メッセージ記憶部３ａから自動着信メッセージが読み込まれて音声に変換され、無線部１を介して送信される。
【００３０】
そして、受信メッセージ記憶部３ｂに空きがある場合に、自動応答メッセージ記憶部３ａから伝言要求メッセージが読み込まれて音声に変換されて無線部１を介して送信される。
【００３１】
そして、発信者側から送信された伝言メッセージが無線部１を介して受信され、発信者側から完了信号を受け取るか、又は発信者側で回線が切断されるまで、伝言メッセージの受信が続けられ、完了信号を受け取るか、又は発信者側で回線が切断されると、制御部２で受信した伝言メッセージがデジタルデータに変換されて受信メッセージ記憶部３ｂに記憶される。
【００３２】
そして、表示部４に留守録の伝言メッセージがあった旨の表示が為され、回線が切断されていない場合は、自動応答メッセージ記憶部３ａから完了応答メッセージが読み込まれて音声に変換され無線部１を介して送信され、回線が切断されるようになっている。
【００３３】
本発明の携帯電話機によれば、着呼をうけて呼出後、一定時間オフフックが為されないと、自動着信して発信者に対して伝言メッセージの送信を促し、受信した伝言メッセージを記憶（録音）するので、例えば急に電話にでられない事態になっても、使用者による留守録モードの設定なしに、常に重要な電話の用件を録音でき、電話の受け損ねを回避できる効果がある。
【産業上の利用可能性】
【００３４】
本発明は、発呼を受けて呼出を行い、呼出から一定時間に達したかを判断し、当該一定時間にオフフックが為されないときに、録音する伝言の発声を促すメッセージを発信者に送信し、発信者からの伝言メッセージを受信して記憶し、発信者により回線切断されていない場合は、発信者に伝言の録音完了を知らせて、回線切断する携帯電話機に好適である。
【図面の簡単な説明】
【００３５】
【図１】本発明に係る携帯電話機の構成ブロック図である。
【図２】本発明の制御部の留守録手段の流れを示すフローチャート図である。
【符号の説明】
【００３６】
１…無線部、  ２…制御部、  ２ａ…留守録手段、  ２ｂ…タイマー、  ３…記憶部、  ３ａ…自動応答メッセージ記憶部、  ３ｂ…受信メッセージ記憶部、  ４…表示部、  ５…入力部、  ６…呼出部、  ７…レシーバ
【図１】
2006333509.tif 000003
【図２】
2006333509.tif 000004